(57)【要約】      （修正有）【課題】  閉状態において蓋と枠との隙間を小さくすると共に開閉容易な構成として、床面から突出する部材もなく外観性に優れ、開閉操作が容易であり、物品の出し入れを安全に行うことが可能な床下収納装置を提供することである。【解決手段】  支軸を、蓋を閉止した位置の下位置と、前記蓋を開いた位置の上位置とに移動自在となるように支軸保持手段で支持し、前記蓋の閉止状態を維持するロック機能、および、閉止状態を解除するロック解除機能を共に備える開閉手段と、前記蓋の開口操作時に前記蓋を開く方向に段階的に弾性支持する付勢手段と、開閉時の支軸の移動をガイドする開閉ガイド手段とを設け、前記開閉手段の前記ロック解除機能により閉止状態を解除すると、前記支軸保持手段と前記開閉ガイド手段を介して、前記支軸が下位置から上位置に移動する構成の床下収納装置とした。【選択図】なし【特許請求の範囲】
【請求項１】
床下に物品を収納する収納庫と開閉自在な蓋とを備える床下収納装置であって、
前記蓋を、一方の端部の裏面側に支軸を設けて、該支軸を回転中心として他方の開口端部を開閉する構成とし、
前記支軸を、前記蓋を閉止する位置となる下位置と、前記蓋を開く操作に応じて変移する上位置とに移動自在となるように支持する支軸保持手段と、前記蓋の閉止状態を維持するロック機能、および、閉止状態を解除するロック解除機能を共に備える開閉手段と、前記蓋の開口操作時に前記蓋を開く方向に付勢する第一バネ部材と開口操作の終了前に前記蓋を閉止する方向に付勢する第二バネ部材とを有する付勢手段と、開閉時の支軸の移動をガイドする開閉ガイド手段とを有し、
前記開閉手段の前記ロック解除機能により閉止状態を解除すると、前記支軸保持手段と前記開閉ガイド手段を介して、前記支軸が下位置から上位置に移動することを特徴とする床下収納装置。
【請求項２】
前記支軸保持手段が、前記支軸の両端側の収納庫内部にそれぞれ配設される基部と該基部と前記支軸のそれぞれの端部とを連結するアーム部材を備えており、前記アーム部材を前記基部に設ける回転軸に回動自在に軸支すると共に、前記支軸を前記上位置に移動させる方向に前記アーム部材を付勢する第三バネ部材を備えていることを特徴とする請求項１に記載の床下収納装置。
【請求項３】
前記開閉ガイド手段が、前記蓋の支軸装着部側の床下部に固設され、その開口部を蓋側に向けて水平方向の断面Ｕ字状の開口ガイド部を有するガイド体と、前記開口ガイド部を摺動するガイドローラを有し前記蓋側に設けられる第二アーム部材と、該第二アーム部材を回動自在に軸支すると共に前記蓋の支軸装着部側端部の裏側に装着される支持ブロックと、前記第二アーム部材を上に持ち上げられる方向に付勢する第四バネ部材を備えていることを特徴とする請求項１または２に記載の床下収納装置。
【請求項４】
前記開口ガイド部が、断面Ｕ字状の下側ガイド長さを上側ガイド長さよりも短い長さとし、さらに前記下側ガイドの入り口に、開口部が広がるようにテーパ部を設けて前記ガイドローラの進入案内部を形成したことを特徴とする請求項３に記載の床下収納装置。
【請求項５】
前記第二アーム部材の前記支持ブロックとの軸支部の後方に延設アーム部を設けると共に、前記延設アーム部を押圧して前記第二アーム部材の屈曲角度を調整し前記蓋の高さ位置を微調整する調整ネジを設けたことを特徴とする請求項１から４のいずれかに記載の床下収納装置。
【請求項６】
前記開閉ガイド手段を前記支軸の軸方向に離間して二箇所に設け、それぞれの開閉ガイド手段設置位置付近に前記付勢手段をそれぞれ設けたことを特徴とする請求項１に記載の床下収納装置。
【請求項７】
前記第二バネ部材は前記第一バネ部材よりも弱いバネ力であると共に、前記蓋が３０°〜６０°開口した工程以降に作用するバネ部材であることを特徴とする請求項３に記載の床下収納装置。
【請求項８】
前記開閉手段が、前記開口端部の裏面に装着するフック係止片と、前記収納庫側に設け前記フック係止片に着脱自在なフックと、前記フックを付勢して前記フック係止片に係合させる第五バネ部材と、前記開口端部の表面と裏面とを貫通して設けられ前記表面からの操作により前記フックの前記フック係止片との係合を解除する開放ピンを備えていることを特徴とする請求項１から７のいずれかに記載の床下収納装置。
【請求項９】
前記開放ピンが、前記蓋および該蓋の裏面側に設置されるボックスを貫通するように設けられていると共に、前記ボックス内に設ける第六バネ部材により弾性支持され、押下げ自在とされていることを特徴とする請求項８に記載の床下収納装置。
【請求項１０】
前記開放ピンの上面を被覆して蓋の開口操作を禁止する位置と、前記開放ピンの上面を露出する位置とに変位自在なカバー部材を、前記蓋の表面に装着したことを特徴とする請求項８または９に記載の床下収納装置。
【発明の詳細な説明】
【技術分野】
【０００１】  本発明は、台所等の床下に設置される床下収納装置に関し、詳しくは蓋の開閉性を良好にする構成を有する床下収納装置に関するものである。
【背景技術】
【０００２】  従来、収納庫本体の開口部を開閉する蓋をヒンジ部を介して収納庫本体の枠に回動自在に連結した構造の床下収納装置が一般的に知られている。ところが、この従来例では、蓋は固定されたヒンジ部を中心として回動する構造であるため、蓋の開閉時に蓋の後端部と枠とが擦れないようにする必要があり、蓋の後端部と枠との間に大きな隙間を設けなければならないという問題がある。【０００３】  蓋と枠との隙間が大きくなると、外観上の見映えが悪く、そのうえ気密性が損なわれるという問題もある。
そのために、蓋を収納庫本体から持ち上げて開く構成とするリンク機構を備えて、収納庫本体の組み込み動作や収納庫本体内の収納物の出し入れ動作の際に蓋が邪魔にならず、使い勝手を良くするとした床下収納庫が既に出願されている（例えば、特許文献１参照）。
【特許文献１】  特開２００１−３２５１８号公報（第１−４頁、第１図）
【発明の開示】
【発明が解決しようとする課題】
【０００４】  一般家庭で使用する床下収納装置の場合は、老若男女のいずれもが使い勝手のよいことが望まれる。また、そのためには、簡単な操作で、軽く開閉可能な蓋を備える床下収納装置であることが望ましい。【０００５】  また、前記蓋および操作部が床面から突出せず、同一平面であると共に、床部との間に隙間がないことが好ましい。【０００６】  本発明の目的は、上記問題点に鑑み、閉状態において蓋と枠との隙間を小さくすると共に開閉容易な構成として、床面から突出する部材もなく外観性に優れ、開閉操作が容易であり、物品の出し入れを安全に行うことが可能な床下収納装置を提供することである。
【課題を解決するための手段】
【０００７】  上記の目的を達成するために請求項１に係る発明は、床下に物品を収納する収納庫と開閉自在な蓋とを備える床下収納装置であって、前記蓋を、一方の端部の裏面側に支軸を設けて、該支軸を回転中心として他方の開口端部を開閉する構成とし、前記支軸を、前記蓋を閉止する位置となる下位置と、前記蓋を開く操作に応じて変移する上位置とに移動自在となるように支持する支軸保持手段と、前記蓋の閉止状態を維持するロック機能、および、閉止状態を解除するロック解除機能を共に備える開閉手段と、前記蓋の開口操作時に前記蓋を開く方向に付勢する第一バネ部材と開口操作の終了前に前記蓋を閉止する方向に付勢する第二バネ部材とを有する付勢手段と、開閉時の支軸の移動をガイドする開閉ガイド手段とを有し、前記開閉手段の前記ロック解除機能により閉止状態を解除すると、前記支軸保持手段と前記開閉ガイド手段を介して、前記支軸が下位置から上位置に移動することを特徴としている。【０００８】  上記の構成を有する請求項１に係る発明によれば、蓋を開閉する際の回転中心となる支軸が上に移動して開口すると共に、蓋を開く際には第一バネ部材により開く方向に付勢するが、開口操作の終盤には、閉まる方向に付勢する第二バネ部材によりブレーキをかける構成となり、静かに安全に蓋を開けることができる。そのために、蓋のサイズが収納庫の開口部にぴったりはまる程度の大きさであっても、容易に開口することができる。【０００９】  請求項２に係る発明は、前記支軸保持手段が、前記支軸の両端側の収納庫内部にそれぞれ配設される基部と該基部と前記支軸のそれぞれの端部とを連結するアーム部材を備えており、前記アーム部材を前記基部に設ける回転軸に回動自在に軸支すると共に、前記支軸を前記上位置に移動させる方向に前記アーム部材を付勢する第三バネ部材を備えていることを特徴としている。【００１０】  上記の構成を有する請求項２に係る発明によれば、蓋を開く際には、支軸の両側に設ける第三バネ部材により、前記支軸を上位置まで平行な状態で容易に移動することができる。また、蓋を閉める際には、蓋を第三バネ部材のバネ力に抗して上から押さえ付けるだけで、支軸を下位置に変移させて閉止することができる。【００１１】  請求項３に係る発明は、前記開閉ガイド手段が、前記蓋の支軸装着部側の床下部に固設され、その開口部を蓋側に向けて水平方向の断面Ｕ字状の開口ガイド部を有するガイド体と、前記開口ガイド部を摺動するガイドローラを有し前記蓋側に設けられる第二アーム部材と、該第二アーム部材を回動自在に軸支すると共に前記蓋の支軸装着部側端部の裏側に装着される支持ブロックと、前記第二アーム部材を上に持ち上げられる方向に付勢する第四バネ部材を備えていることを特徴としている。【００１２】  上記の構成を有する請求項３に係る発明によれば、蓋を開閉する際に、床下部に固設するガイド体の開口ガイド部の上側に、蓋側に設けるガイドローラを押し当てるように係合させるので、安定して蓋の開閉操作を行うことができる。【００１３】  請求項４に係る発明は、前記開口ガイド部が、断面Ｕ字状の下側ガイド長さを上側ガイド長さよりも短い長さとし、さらに前記下側ガイドの入り口に、開口部が広がる���うにテーパ部を設けて前記ガイドローラの進入案内部を形成したことを特徴としている。【００１４】  上記の構成を有する請求項４に係る発明によれば、ガイドローラが開口ガイド部に容易に進入し、挿脱自在とすることができる。【００１５】  請求項５に係る発明は、前記第二アーム部材の前記支持ブロックとの軸支部の後方に延設アーム部を設けると共に、前記延設アーム部を押圧して前記第二アーム部材の屈曲角度を調整し前記蓋の高さ位置を微調整する調整ネジを設けたことを特徴としている。【００１６】  上記の構成を有する請求項５に係る発明によれば、蓋の開閉の度に上下に変移する支軸側の蓋の高さ位置を、床の高さに段差なく合致させることができる。【００１７】  請求項６に係る発明は、前記開閉ガイド手段を前記支軸の軸方向に離間して二箇所に設け、それぞれの開閉ガイド手段設置位置付近に前記付勢手段をそれぞれ設けたことを特徴としている。【００１８】  上記の構成を有する請求項６に係る発明によれば、蓋を開閉する際に、支軸の軸方向に離間した少なくとも二箇所で支持することで、左右がこじることなくスムースに開閉操作することができる。【００１９】  請求項７に係る発明は、前記第二バネ部材は前記第一バネ部材よりも弱いバネ力であると共に、前記蓋が３０°〜６０°開口した工程以降に作用するバネ部材であることを特徴としている。【００２０】  上記の構成を有する請求項７に係る発明によれば、蓋の開口開始時は、蓋を開ける方向に付勢しているので、開口操作が容易となる。また、開口操作の終りには、逆に蓋を閉める方向に付勢すると共にバネ力が弱い第二バネ部材が作用するので、開く方向の付勢力を弱めてブレーキをかけることができ、静かに安全に蓋を開けることができる。【００２１】  請求項８に係る発明は、前記開閉手段が、前記開口端部の裏面に装着するフック係止片と、前記収納庫側に設け前記フック係止片に着脱自在なフックと、前記フックを付勢して前記フック係止片に係合させる第五バネ部材と、前記開口端部の表面と裏面とを貫通して設けられ前記表面からの操作により前記フックの前記フック係止片との係合を解除する開放ピンを備えていることを特徴としている。【００２２】  上記の構成を有する請求項８に係る発明によれば、蓋を閉止する際には、フックをフック係止片に係合させればよく、蓋を開口する際には、開放ピンの操作によりその係合関係を解除すればよく、蓋の開閉操作が容易となる。【００２３】  請求項９に係る発明は、前記開放ピンが、前記蓋および該蓋の裏面側に設置されるボックスを貫通するように設けられていると共に、前記ボックス内に設ける第六バネ部材により弾性支持され、押下げ自在とされていることを特徴としている。【００２４】  上記の構成を有する請求項９に係る発明によれば、蓋を開口する際には、開放ピンを押下げる操作だけでよく、特別な労力を必要とせずに、容易に蓋を開口することができる。【００２３】  請求項１０に係る発明は、前記開放ピンの上面を被覆して蓋の開口操作を禁止する位置と、前記開放ピンの上面を露出する位置とに変位自在なカバー部材を、前記蓋の表面に装着したことを特徴としている。【００２４】  上記の構成を有する請求項１０に係る発明によ���ば、カバー部材をずらさないと開放ピンの操作ができないので、蓋を誤って開けることを防止することができる。
【発明の効果】
【００２５】  上記したように本発明によれば、蓋の開閉時の支軸を上下に移動すると共に支軸をガイドして開閉操作するので、蓋を閉止する際には、蓋の上から体重等を利用して、支軸を下位置に押下げると共に、開閉手段のフックを係合すればよく、蓋を開口する際には、フックを解除する操作で、閉止状態の蓋の支軸を上昇して蓋を開く構成となり、特別な力を必要とせず、蓋の開閉が容易な床下収納装置を得ることができる。
【発明を実施するための最良の形態】
【００２６】  以下、本発明に係る床下収納装置の実施の形態について、図１から図４に基づいて詳細に説明する。【００２７】  図１は本発明に係る床下収納装置の要部を示しており（ａ）は側部断面図であり、（ｂ）は平面図である。図２は本発明に係る支軸保持手段と付勢手段の要部拡大図であり、（ａ）は蓋の開閉状態を示す側面図であり、（ｂ）は平面図である。図３は本発明に係る開閉ガイド手段の要部拡大図であり、（ａ）は側面図であり、（ｂ）は平面図である。図４は本発明に係る開閉手段を示す要部断面図である。【００２８】  図１（ａ）に示すように、床下収納装置１は、床面１０の下部に設ける収納庫２と開閉自在な蓋３とを備えている。前記蓋３は、一方の端部に支軸４を設けて前記支軸４を回転中心としで他方の開口端部が回動して開閉する構成である。また、前記支軸４は支軸保持手段５を介して支持されており、開口端部側には開閉手段７が設けられている。【００２９】  支軸保持手段５は、支軸４を、前記蓋３を閉止する位置となる下位置４Ａ（図２参照）と、前記蓋３を開く操作に応じて変移する上位置４Ｂ（図２参照）とに移動自在に支持する手段であり、基部５０とアーム部材５２とを備えている。前記基部５０は収納庫２の側壁等に固定されており、基部５０に装着される回転軸５１に前記アーム部材５２が回動自在に装着されている。つまり、前記蓋３は収納庫内に固定された支軸保持手段５を介して開閉自在な構成とされている。【００３０】  支軸保持手段５は、図１（ｂ）に示すように、支軸４の両側にそれぞれ配設されており、支軸４の両端を支軸保持手段５Ａ、５Ｂが支持する構成とされている。そのために、蓋３を開閉する際には、支軸の両側に設ける支軸保持手段５Ａ、５Ｂを介して、前記支軸を平行な状態で開閉することができる。また、前記蓋３の支軸装着部側の軸方向の少なくとも二箇所に、ガイドローラ６０を備える開閉ガイド手段６を離間して配設している。【００３１】  開閉手段７は、蓋３の閉止状態を維持する閉止機能、および、閉止状態を解除する解除機能を共に備えており、前記開口端部の裏面に装着するフック係止片７０と、収納庫側に設け前記フック係止片７０に着脱自在なフック７１と、前記フック７１を付勢して前記フック係止片７０に係合させる第五バネ部材７２と、前記開口端部の表面と裏面とを貫通して設けられ前記表面からの操作により前記フック７１の前記フック係止片７０との係合を解除する開放ピン８を備えている。【００３２】  次に図４により、開閉手段７についてさらに詳細に説明する。
開放ピン８は、蓋３を貫通するように設けられており、蓋３の裏面側に設置されるボックス８２に第六バネ部材８１を介して装着されている。また、前記ボックス８２の底部は前記開放ピン８が挿通自在な孔部が形成されている。【００３３】  また、図示するように、蓋３が閉止状態の時は、フック７１の爪部７１Ｂが前記フック係止片７０に係合しており、蓋３が開くのを防止している。フック７１には延長翼部７１Ａが設けられており、ボックス８２の底部を貫通して垂下している開放ピン８の下端部と対峙した構成である。【００３４】  通常では、第六バネ部材８１により、前記開放ピン８が上方に押し上げられているので、開放ピン８の下端部と前記延長翼部７１Ａとは離反しているが、開放ピン８を前記第六バネ部材８１の付勢力に抗して押下げると、破線に示す位置まで低下し、当接する延長翼部７１Ａを押下げることになる。【００３５】  もちろん、第六バネ部材８１に支持されている前記開放ピン８は、その頭部を蓋面から突出しない程度の長さとされており、閉状態において、床面から突出する部材もなく外観性に優れた構成である。また、前記第六バネ部材８１の縮み量分、前記開放ピン８を押下げることができる。【００３６】  フック７１は、支持部材７３に軸支されており、その軸部に配置される第五バネ部材７２を介して、矢印Ｂ方向に付勢されている。つまり、フックの爪部７１Ｂがフック係止片７０に係合して、蓋３を閉止位置に固定している。この状態で、開放ピン８を押下げると前述したように、延長翼部７１Ａを押下げて、フック７１を図中の想像線に示すように、軸部を回転中心として回動して、前記爪部７１Ｂを前記フック係止片７０から離反する。【００３７】  次に図２および図３により支軸保持手段５および開閉ガイド手段６について詳細に説明する。【００３８】  支軸保持手段５は、図２（ａ）に示す基部５０と回転軸５１とアーム部材５２とを備えており、前記回転軸５１に回動自在に装着されている前記アーム部材５２が前記支軸４を支持している。また前記支軸４を上位置４Ｂに移動させ方向に前記アーム部材５２を付勢する第三バネ部材５３を備えている。前記第三バネ部材５３はアーム部材５２の後端部に装着されるフックピン５４に係止しており、該フックピン５４を押下げる方向、支軸４を上に持ち上げる方向に付勢している。また、５６はガイド溝であり、５５は、ガイドピンであり、アーム部材５２の回動移動をガイドする部材である。【００３９】  そのために、蓋３を閉める際には、第三バネ部材５３のバネ力に抗して前記蓋３を押し下げるだけで、支軸４を下位置４Ａに変移させて、閉止することができる。また、蓋３を開く際には、フック７１を解除することで、支軸４の両側に設ける第三バネ部材５３により、前記支軸４を平行な状態で上位置４Ｂまで容易に移動することができる。【００４０】  フック７１とフック係止片７０との係合が解除されると、アーム部材５２を矢印Ａ方向に回動するように付勢するバネ部材５３により、支軸４を同じく矢印Ａ方向に持ち上げるように移動する構成である。【００４１】  また、蓋３の開口操作時に前記蓋３を開く方向に弾性付勢する第一バネ部材４１（４１Ａ、４１Ｂ）と、開口操作の終了前に前記蓋３を閉止する方向に付勢する第二バネ部材４２（４２Ａ、４２Ｂ）とを有する付勢手段４０を支軸４に配設している。【００４２】  図２（ｂ）に示すように本実施の形態では、前記付勢手段４０として、前記蓋３を開く方向に弾性付勢する第一バネ部材４１と前記蓋３を閉止する方向に付勢する第二バネ部材４２を備えている。前記第一バネ部材４１は強いバネ力を有するコイルバネであり、固定カラー４１ｂと調整カラー４１ａとを備えている。前記調整カラー４１ａのセット位置を変えることで、バネ力の調整が可能である。また、前記第二バネ部材４２は、前記第一バネ部材４１の半分程度のバネ力の弱いコイルバネとしている。また、バネ力を調整するための調整カラー４２ａと、蓋３の閉止状態位置から所定角度開口するまでの間は、バネが後述する係止部材と係合せず、バネ力が作用しない位置に固定しておく係合部を有する固定カラー４２ｂを備えている。【００４３】  上記の構成であれば、開口開始時には、前記第一バネ部材４１を、蓋の裏側に装着されている係止部材３１に係合させておくことで、強いバネ力を開口方向に付勢し、蓋３を容易に開口する。また、所定角度、例えば開口角度３０°〜６０°開口すると、前記第二バネ部材４２が前記係止部材３１に係合して蓋３を閉める方向に付勢する構成として、開口速度にブレーキを掛けることができる。そのために、蓋３が前記第一バネ部材４１によるバネ力の反動により、最後まで急に開くことがなく安全である。また、完全に開口した状態では、前記第一バネ部材４１と前記第二バネ部材４２とのバネ力が釣り合った状態であり、蓋３を閉める操作も容易となる。このように、フック７１とフック係止片７０との係合を解除するという開口操作を行うだけで、支軸４が上昇すると共に、蓋３が開く方向に付勢され、開口の最終段階では適当なブレーキ力が作用する構成となり、女性や老人等の非力な人でも開口操作し易い構成となっている。【００４４】  開閉ガイド手段６は、図３（ａ）に示すように、蓋３の支軸装着部側の床下部に固設され、その開口部を蓋側に向けて水平方向の断面Ｕ字状の開口ガイド部を有するガイド体９と、前記ガイド体９の開口ガイド部内を摺動するガイドローラ６０を有し前記蓋側に設けられる第二アーム部材６１とを備えている。また、前記第二アーム部材６１は、前記蓋３の支軸装着部側端部の裏側に装着する支持ブロック６２に、回転自在に軸６３を介して軸支されていると共に、コイルバネもしくはゼンマイバネ等の第四バネ部材６４を介して、上に持ち上げられる方向、つまりガイドローラ６０がガイド体９の上部に当接する方向に付勢されている。【００４５】  前記ガイド体９の開口ガイド部は、図示されているように、断面Ｕ字状であり、その下側ガイドの入り口に、開口部が広がるようにテーパ部９Ａを設けて前記ガイドローラの進入案内部を形成している。また、下側ガイド長さを上側ガイド長さよりも短い長さとし、蓋３の開閉操作に応じて、前記ガイドローラ６０が確実に、前記ガイド体９の開口ガイド部に進入する構成とされている。そのために、蓋３が閉止位置３Ａから開口位置３Ｃまで移動する際に、ガイドローラ６０が実線に示す位置から点線に示す位置のように移動する。さらに、蓋３を閉止する操作に応じて実線に示す位置まで確実に戻る。【００４６】  また、蓋３を開口して３Ｃの位置となると、第二アーム部材６１の延設部６１Ａに設けたストップローラ６５が、ガイド溝６２Ａの端部に当接し、前記第二アーム部材６２の前記第四のバネ部材６４による回動を規制する構成である。また、蓋３を閉止した時の高さ位置を床面と正しく合わせるために、前記ストップローラ６５の停止位置を微調整するための調整ネジ６６を備える構成としている。【００４７】  前述したように、開閉ガイド手段６は、蓋３の支軸装着部側の軸方向の少なくとも二箇所に配設しているので、蓋３を開閉する際に、支軸の軸方向に離間した少なくとも二箇所で支持することで、支軸を安定的に保持しながら開閉することになるので、左右がこじることなくスムースに開閉操作することができる。【００４８】  蓋３を閉める時には、第一バネ部材４１と第二バネ部材４２とのバネ力が釣り合った状態のバネ力に抗する力で閉めればよいので、始めは小さな力で閉めることができる。また、閉止操作の最後には、前記第一バネ部材４１として使用している全てのバネ力が付勢されているが、蓋３がかなり水平状態に近くなるので、体重や足等を使って蓋３を閉止することができる。そのために最後には、蓋３の上に乗って、全体重をかけて閉止することも可能であり、開口力が強い状態であっても、容易に閉止することができる。【００４９】  蓋３を閉止する際にはその操作に応じて、フック７１とフック係止片７０とが係合するように、フックの爪部７１Ｂにはテーパ部が設けられており、フック係止片７０の底部が前記テーパ部と当接することで、フック７１を第五バネ部材７２の付勢力に抗して回動している。【００５０】  前記付勢手段４０は支軸４の長手方向の二箇所に配設しているので、蓋３の開閉を行う際に、安定した開口力を付与する構成としている。そのために、前述した開放ピン８を押下げる操作だけで、特別な労力を必要とせずに、容易に蓋３を開くことができる。【００５１】  また、開放ピン８の上面を被覆して蓋の開口操作を禁止する位置と、前記開放ピン８の上面を露出する位置とに変位自在なカバー部材３０を設ける構成とすれば、前記開放ピン８の不慮の操作を防止することができ、好適である。【００５２】  上記したように、本発明に係わる床下収納装置によれば、蓋を閉止する際には、蓋の上から体重等を利用して、支軸を下位置に押下げると共に、開閉手段のフックを係合すればよく、蓋を開口する際には、フックを解除して取手を把持して引き上げる操作で、閉止状態の蓋の支軸を上昇して蓋を開く構成としたので、特別な力を必要とせず、蓋の開閉が容易となる。【００５３】  さらには、蓋が開閉する際の支軸を上下に移動する構成とし、支軸保持手段と開閉ガイド手段で支持しながら開閉する構成としたので、開閉操作が容易で確実であると共に閉状態において蓋と枠との隙間が小さくとも容易に開閉可能となる。また、開放ピンも蓋面から突出しておらず、床面から突出する部材もなく外観性に優れている。さらに、開閉操作が容易な床下収納装置蓋を９０°以上に開口すると共に、開口位置と閉止位置とを固定するバネ部材をそれぞれ装着しているので、収納庫への物品の出し入れを安全に行うことができる。
【図面の簡単な説明】
【００５４】
【図１】  本発明に係る床下収納装置の要部を示しており（ａ）は側部断面図であり、（ｂ）は平面図である。
【図２】  本発明に係る支軸保持手段と付勢手段の要部拡大図であり、（ａ）は蓋の開閉状態を示す側面図であり、（ｂ）は平面図である。
【図３】  本発明に係る開閉ガイド手段の要部拡大図であり、（ａ）は側面図であり、（ｂ）は平面図である。
【図４】  本発明に係る開閉手段を示す要部断面図である。
【符号の説明】
【００５５】  １  床下収納装置
２  収納庫
３  蓋
４  支軸
４Ａ  下位置
４Ｂ  上位置
５  支軸保持手段
６  開閉ガイド手段
７  開閉手段
８  開放ピン
９  ガイド体
４１  第一バネ部材
４２  第二バネ部材
５０  基部
５１  回転軸
５２  アーム部材
５３  第三バネ部材
６０  ガイドローラ
６４  第四バネ部材
７０  フック係止片
７１  フック
７２  第五バネ部材
８１  第六バネ部材
【手続補正書】
【提出日】平成18年4月13日(2006.4.13)
【手続補正１】
【補正対象書類名】明細書
【補正対象項目名】全文
【補正方法】変更
【補正の内容】
【発明の詳細な説明】
【技術分野】
【０００１】  本発明は、台所等の床下に設置される床下収納装置に関し、詳しくは蓋の開閉性を良好にする構成を有する床下収納装置に関するものである。
【背景技術】
【０００２】  従来、収納庫本体の開口部を開閉する蓋をヒンジ部を介して収納庫本体の枠に回動自在に連結した構造の床下収納装置が一般的に知られている。ところが、この従来例では、蓋は固定されたヒンジ部を中心として回動する構造であるため、蓋の開閉時に蓋の後端部と枠とが擦れないようにする必要があり、蓋の後端部と枠との間に大きな隙間を設けなければならないという問題がある。【０００３】  蓋と枠との隙間が大きくなると、外観上の見映えが悪く、そのうえ気密性が損なわれるという問題もある。
そのために、蓋を収納庫本体から持ち上げて開く構成とするリンク機構を備えて、収納庫本体の組み込み動作や収納庫本体内の収納物の出し入れ動作の際に蓋が邪魔にならず、使い勝手を良くするとした床下収納庫が既に出願されている（例えば、特許文献１参照）。
【特許文献１】  特開２００１−３２５１８号公報（第１−４頁、第１図）
【発明の開示】
【発明が解決しようとする課題】
【０００４】  一般家庭で使用する床下収納装置の場合は、老若男女のいずれもが使い勝手のよいことが望まれる。また、そのためには、簡単な操作で、軽く開閉可能な蓋を備える床下収納装置であることが望ましい。【０００５】  また、前記蓋および操作部が床面から突出せず、同一平面であると共に、床部との間に隙間がないことが好ましい。【０００６】  本発明の目的は、上記問題点に鑑み、閉状態において蓋と枠との隙間を小さくすると共に開閉容易な構成として、床面から突出する部材もなく外観性に優れ、開閉操作が容易であり、物品の出し入れを安全に行うことが可能な床下収納装置を提供することである。
【課題を解決するための手段】
【０００７】  上記の目的を達成するために請求項１に係る発明は、床下に物品を収納する収納庫と開閉自在な蓋とを備える床下収納装置であって、前記蓋を、一方の端部の裏面側に支軸を設けて、該支軸を回転中心として他方の開口端部を開閉する構成とし、前記支軸を、前記蓋を閉止する位置となる下位置と、前記蓋を開く操作に応じて変移する上位置とに移動自在となるように支持する支軸保持手段と、前記蓋の閉止状態を維持するロック機能、および、閉止状態を解除するロック解除機能を共に備える開閉手段と、前記蓋の開口操作時に前記蓋を開く方向に付勢する第一バネ部材と開口操作の終了前に前記蓋を閉止する方向に付勢する第二バネ部材とを有する付勢手段と、開閉時の支軸の移動をガイドする開閉ガイド手段とを有し、前記開閉手段の前記ロック解除機能により閉止状態を解除すると、前記支軸保持手段と前記開閉ガイド手段を介して、前記支軸が下位置から上位置に移動することを特徴としている。【０００８】  上記の構成を有する請求項１に係る発明によれば、蓋を開閉する際の回転中心となる支軸が上に移動して開口すると共に、蓋を開く際には第一バネ部材により開く方向に付勢するが、開口操作の終盤には、閉まる方向に付勢する第二バネ部材によりブレーキをかける構成となり、静かに安全に蓋を開けることができる。そのために、蓋のサイズが収納庫の開口部にぴったりはまる程度の大きさであっても、容易に開口することができる。【０００９】  請求項２に係る発明は、前記支軸保持手段が、前記支軸の両端側の収納庫内部にそれぞれ配設される基部と該基部と前記支軸のそれぞれの端部とを連結するアーム部材を備えており、前記アーム部材を前記基部に設ける回転軸に回動自在に軸支すると共に、前記支軸を前記上位置に移動させる方向に前記アーム部材を付勢する第三バネ部材を備えていることを特徴としている。【００１０】  上記の構成を有する請求項２に係る発明によれば、蓋を開く際には、支軸の両側に設ける第三バネ部材により、前記支軸を上位置まで平行な状態で容易に移動することができる。また、蓋を閉める際には、蓋を第三バネ部材のバネ力に抗して上から押さえ付けるだけで、支軸を下位置に変移させて閉止することができる。【００１１】  請求項３に係る発明は、前記開閉ガイド手段が、前記蓋の支軸装着部側の床下部に固設され、その開口部を蓋側に向けて水平方向の断面Ｕ字状の開口ガイド部を有するガイド体と、前記開口ガイド部を摺動するガイドローラを有し前記蓋側に設けられる第二アーム部材と、該第二アーム部材を回動自在に軸支すると共に前記蓋の支軸装着部側端部の裏側に装着される支持ブロックと、前記第二アーム部材を上に持ち上げられる方向に付勢する第四バネ部材を備えていることを特徴としている。【００１２】  上記の構成を有する請求項３に係る発明によれば、蓋を開閉する際に、床下部に固設するガイド体の開口ガイド部の上側に、蓋側に設けるガイドローラを押し当てるように係合させるので、安定して蓋の開閉操作を行うことができる。【００１３】  請求項４に係る発明は、前記開口ガイド部が、断面Ｕ字状の下側ガイド長さを上側ガイド長さよりも短い長さとし、さらに前記下側ガイドの入り口に、開口部が広がる���うにテーパ部を設けて前記ガイドローラの進入案内部を形成したことを特徴としている。【００１４】  上記の構成を有する請求項４に係る発明によれば、ガイドローラが開口ガイド部に容易に進入し、挿脱自在とすることができる。【００１５】  請求項５に係る発明は、前記第二アーム部材の前記支持ブロックとの軸支部の後方に延設アーム部を設けると共に、前記延設アーム部を押圧して前記第二アーム部材の屈曲角度を調整し前記蓋の高さ位置を微調整する調整ネジを設けたことを特徴としている。【００１６】  上記の構成を有する請求項５に係る発明によれば、蓋の開閉の度に上下に変移する支軸側の蓋の高さ位置を、床の高さに段差なく合致させることができる。【００１７】  請求項６に係る発明は、前記開閉ガイド手段を前記支軸の軸方向に離間して二箇所に設け、それぞれの開閉ガイド手段設置位置付近に前記付勢手段をそれぞれ設けたことを特徴としている。【００１８】  上記の構成を有する請求項６に係る発明によれば、蓋を開閉する際に、支軸の軸方向に離間した少なくとも二箇所で支持することで、左右がこじることなくスムースに開閉操作することができる。【００１９】  請求項７に係る発明は、前記第二バネ部材は前記第一バネ部材よりも弱いバネ力であると共に、前記蓋が３０°〜６０°開口した工程以降に作用するバネ部材であることを特徴としている。【００２０】  上記の構成を有する請求項７に係る発明によれば、蓋の開口開始時は、蓋を開ける方向に付勢しているので、開口操作が容易となる。また、開口操作の終りには、逆に蓋を閉める方向に付勢すると共にバネ力が弱い第二バネ部材が作用するので、開く方向の付勢力を弱めてブレーキをかけることができ、静かに安全に蓋を開けることができる。【００２１】  請求項８に係る発明は、前記開閉手段が、前記開口端部の裏面に装着するフック係止片と、前記収納庫側に設け前記フック係止片に着脱自在なフックと、前記フックを付勢して前記フック係止片に係合させる第五バネ部材と、前記開口端部の表面と裏面とを貫通して設けられ前記表面からの操作により前記フックの前記フック係止片との係合を解除する開放ピンを備えていることを特徴としている。【００２２】  上記の構成を有する請求項８に係る発明によれば、蓋を閉止する際には、フックをフック係止片に係合させればよく、蓋を開口する際には、開放ピンの操作によりその係合関係を解除すればよく、蓋の開閉操作が容易となる。【００２３】  請求項９に係る発明は、前記開放ピンが、前記蓋および該蓋の裏面側に設置されるボックスを貫通するように設けられていると共に、前記ボックス内に設ける第六バネ部材により弾性支持され、押下げ自在とされていることを特徴としている。【００２４】  上記の構成を有する請求項９に係る発明によれば、蓋を開口する際には、開放ピンを押下げる操作だけでよく、特別な労力を必要とせずに、容易に蓋を開口することができる。【００２３】  請求項１０に係る発明は、前記開放ピンの上面を被覆して蓋の開口操作を禁止する位置と、前記開放ピンの上面を露出する位置とに変位自在なカバー部材を、前記蓋の表面に装着したことを特徴としている。【００２４】  上記の構成を有する請求項１０に係る発明によ���ば、カバー部材をずらさないと開放ピンの操作ができないので、蓋を誤って開けることを防止することができる。
【発明の効果】
【００２５】  上記したように本発明によれば、蓋の開閉時の支軸を上下に移動すると共に支軸をガイドして開閉操作するので、蓋を閉止する際には、蓋の上から体重等を利用して、支軸を下位置に押下げると共に、開閉手段のフックを係合すればよく、蓋を開口する際には、フックを解除する操作で、閉止状態の蓋の支軸を上昇して蓋を開く構成となり、特別な力を必要とせず、蓋の開閉が容易な床下収納装置を得ることができる。
【発明を実施するための最良の形態】
【００２６】  以下、本発明に係る床下収納装置の実施の形態について、図１から図４に基づいて詳細に説明する。【００２７】  図１は本発明に係る床下収納装置の要部を示しており（ａ）は側部断面図であり、（ｂ）は平面図である。図２は本発明に係る支軸保持手段と付勢手段の要部拡大図であり、（ａ）は蓋の開閉状態を示す側面図であり、（ｂ）は平面図である。図３は本発明に係る開閉ガイド手段の要部拡大図であり、（ａ）は側面図であり、（ｂ）は平面図である。図４は本発明に係る開閉手段を示す要部断面図である。【００２８】  図１（ａ）に示すように、床下収納装置１は、床面１０の下部に設ける収納庫２と開閉自在な蓋３とを備えている。前記蓋３は、一方の端部に支軸４を設けて前記支軸４を回転中心として他方の開口端部が回動して開閉する構成である。また、前記支軸４は支軸保持手段５を介して支持されており、開口端部側には開閉手段７が設けられている。【００２９】  支軸保持手段５は、支軸４を、前記蓋３を閉止する位置となる下位置４Ａ（図２参照）と、前記蓋３を開く操作に応じて変移する上位置４Ｂ（図２参照）とに移動自在に支持する手段であり、基部５０とアーム部材５２とを備えている。前記基部５０は収納庫２の側壁等に固定されており、基部５０に装着される回転軸５１に前記アーム部材５２が回動自在に装着されている。つまり、前記蓋３は収納庫内に固定された支軸保持手段５を介して開閉自在な構成とされている。【００３０】  支軸保持手段５は、図１（ｂ）に示すように、支軸４の両側にそれぞれ配設されており、支軸４の両端を支軸保持手段５Ａ、５Ｂが支持する構成とされている。そのために、蓋３を開閉する際には、支軸の両側に設ける支軸保持手段５Ａ、５Ｂを介して、前記支軸を平行な状態で開閉することができる。また、前記蓋３の支軸装着部側の軸方向の少なくとも二箇所に、ガイドローラ６０を備える開閉ガイド手段６を離間して配設している。【００３１】  開閉手段７は、蓋３の閉止状態を維持する閉止機能、および、閉止状態を解除する解除機能を共に備えており、前記開口端部の裏面に装着するフック係止片７０と、収納庫側に設け前記フック係止片７０に着脱自在なフック７１と、前記フック７１を付勢して前記フック係止片７０に係合させる第五バネ部材７２と、前記開口端部の表面と裏面とを貫通して設けられ前記表面からの操作により前記フック７１の前記フック係止片７０との係合を解除する開放ピン８を備えている。【００３２】  次に図４により、開閉手段７についてさらに詳細に説明する。
開放ピン８は、蓋３を貫通するように設けられており、蓋３の裏面側に設置されるボックス８２に第六バネ部材８１を介して装着されている。また、前記ボックス８２の底部は前記開放ピン８が挿通自在な孔部が形成されている。【００３３】  また、図示するように、蓋３が閉止状態の時は、フック７１の爪部７１Ｂが前記フック係止片７０に係合しており、蓋３が開くのを防止している。フック７１には延長翼部７１Ａが設けられており、ボックス８２の底部を貫通して垂下している開放ピン８の下端部と対峙した構成である。【００３４】  通常では、第六バネ部材８１により、前記開放ピン８が上方に押し上げられているので、開放ピン８の下端部と前記延長翼部７１Ａとは離反しているが、開放ピン８を前記第六バネ部材８１の付勢力に抗して押下げると、破線に示す位置まで低下し、当接する延長翼部７１Ａを押下げることになる。【００３５】  もちろん、第六バネ部材８１に支持されている前記開放ピン８は、その頭部を蓋面から突出しない程度の長さとされており、閉状態において、床面から突出する部材もなく外観性に優れた構成である。また、前記第六バネ部材８１の縮み量分、前記開放ピン８を押下げることができる。【００３６】  フック７１は、支持部材７３に軸支されており、その軸部に配置される第五バネ部材７２を介して、矢印Ｂ方向に付勢されている。つまり、フックの爪部７１Ｂがフック係止片７０に係合して、蓋３を閉止位置に固定している。この状態で、開放ピン８を押下げると前述したように、延長翼部７１Ａを押下げて、フック７１を図中の想像線に示すように、軸部を回転中心として回動して、前記爪部７１Ｂを前記フック係止片７０から離反する。【００３７】  次に図２および図３により支軸保持手段５および開閉ガイド手段６について詳細に説明する。【００３８】  支軸保持手段５は、図２（ａ）に示す基部５０と回転軸５１とアーム部材５２とを備えており、前記回転軸５１に回動自在に装着されている前記アーム部材５２が前記支軸４を支持している。また前記支軸４を上位置４Ｂに移動させ方向に前記アーム部材５２を付勢する第三バネ部材５３を備えている。前記第三バネ部材５３はアーム部材５２の後端部に装着されるフックピン５４に係止しており、該フックピン５４を押下げる方向、支軸４を上に持ち上げる方向に付勢している。また、５６はガイド溝であり、５５は、ガイドピンであり、アーム部材５２の回動移動をガイドする部材である。【００３９】  そのために、蓋３を閉める際には、第三バネ部材５３のバネ力に抗して前記蓋３を押し下げるだけで、支軸４を下位置４Ａに変移させて、閉止することができる。また、蓋３を開く際には、フック７１を解除することで、支軸４の両側に設ける第三バネ部材５３により、前記支軸４を平行な状態で上位置４Ｂまで容易に移動することができる。【００４０】  フック７１とフック係止片７０との係合が解除されると、アーム部材５２を矢印Ａ方向に回動するように付勢するバネ部材５３により、支軸４を同じく矢印Ａ方向に持ち上げるように移動する構成である。【００４１】  また、蓋３の開口操作時に前記蓋３を開く方向に弾性付勢する第一バネ部材４１（４１Ａ、４１Ｂ）と、開口操作の終了前に前記蓋３を閉止する方向に付勢する第二バネ部材４２（４２Ａ、４２Ｂ）とを有する付勢手段４０を支軸４に配設している。【００４２】  図２（ｂ）に示すように本実施の形態では、前記付勢手段４０として、前記蓋３を開く方向に弾性付勢する第一バネ部材４１と前記蓋３を閉止する方向に付勢する第二バネ部材４２を備えている。前記第一バネ部材４１は強いバネ力を有するコイルバネであり、固定カラー４１ｂと調整カラー４１ａとを備えている。前記調整カラー４１ａのセット位置を変えることで、バネ力の調整が可能である。また、前記第二バネ部材４２は、前記第一バネ部材４１の半分程度のバネ力の弱いコイルバネとしている。また、バネ力を調整するための調整カラー４２ａと、蓋３の閉止状態位置から所定角度開口するまでの間は、バネが後述する係止部材と係合せず、バネ力が作用しない位置に固定しておく係合部を有する固定カラー４２ｂを備えている。【００４３】  上記の構成であれば、開口開始時には、前記第一バネ部材４１を、蓋の裏側に装着されている係止部材３１に係合させておくことで、強いバネ力を開口方向に付勢し、蓋３を容易に開口する。また、所定角度、例えば開口角度３０°〜６０°開口すると、前記第二バネ部材４２が前記係止部材３１に係合して蓋３を閉める方向に付勢する構成として、開口速度にブレーキを掛けることができる。そのために、蓋３が前記第一バネ部材４１によるバネ力の反動により、最後まで急に開くことがなく安全である。また、完全に開口した状態では、前記第一バネ部材４１と前記第二バネ部材４２とのバネ力が釣り合った状態であり、蓋３を閉める操作も容易となる。このように、フック７１とフック係止片７０との係合を解除するという開口操作を行うだけで、支軸４が上昇すると共に、蓋３が開く方向に付勢され、開口の最終段階では適当なブレーキ力が作用する構成となり、女性や老人等の非力な人でも開口操作し易い構成となっている。【００４４】  開閉ガイド手段６は、図３（ａ）に示すように、蓋３の支軸装着部側の床下部に固設され、その開口部を蓋側に向けて水平方向の断面Ｕ字状の開口ガイド部を有するガイド体９と、前記ガイド体９の開口ガイド部内を摺動するガイドローラ６０を有し前記蓋側に設けられる第二アーム部材６１とを備えている。また、前記第二アーム部材６１は、前記蓋３の支軸装着部側端部の裏側に装着する支持ブロック６２に、回転自在に軸６３を介して軸支されていると共に、コイルバネもしくはゼンマイバネ等の第四バネ部材６４を介して、上に持ち上げられる方向、つまりガイドローラ６０がガイド体９の上部に当接する方向に付勢されている。【００４５】  前記ガイド体９の開口ガイド部は、図示されているように、断面Ｕ字状であり、その下側ガイドの入り口に、開口部が広がるようにテーパ部９Ａを設けて前記ガイドローラの進入案内部を形成している。また、下側ガイド長さを上側ガイド長さよりも短い長さとし、蓋３の開閉操作に応じて、前記ガイドローラ６０が確実に、前記ガイド体９の開口ガイド部に進入する構成とされている。そのために、蓋３が閉止位置３Ａから開口位置３Ｃまで移動する際に、ガイドローラ６０が実線に示す位置から点線に示す位置のように移動する。さらに、蓋３を閉止する操作に応じて実線に示す位置まで確実に戻る。【００４６】  また、蓋３を開口して３Ｃの位置となると、第二アーム部材６１の延設部６１Ａに設けたストップローラ６５が、ガイド溝６２Ａの端部に当接し、前記第二アーム部材６２の前記第四のバネ部材６４による回動を規制する構成である。また、蓋３を閉止した時の高さ位置を床面と正しく合わせるために、前記ストップローラ６５の停止位置を微調整するための調整ネジ６６を備える構成としている。【００４７】  前述したように、開閉ガイド手段６は、蓋３の支軸装着部側の軸方向の少なくとも二箇所に配設しているので、蓋３を開閉する際に、支軸の軸方向に離間した少なくとも二箇所で支持することで、支軸を安定的に保持しながら開閉することになるので、左右がこじることなくスムースに開閉操作することができる。【００４８】  蓋３を閉める時には、第一バネ部材４１と第二バネ部材４２とのバネ力が釣り合った状態のバネ力に抗する力で閉めればよいので、始めは小さな力で閉めることができる。また、閉止操作の最後には、前記第一バネ部材４１として使用している全てのバネ力が付勢されているが、蓋３がかなり水平状態に近くなるので、体重や足等を使って蓋３を閉止することができる。そのために最後には、蓋３の上に乗って、全体重をかけて閉止することも可能であり、開口力が強い状態であっても、容易に閉止することができる。【００４９】  蓋３を閉止する際にはその操作に応じて、フック７１とフック係止片７０とが係合するように、フックの爪部７１Ｂにはテーパ部が設けられており、フック係止片７０の底部が前記テーパ部と当接することで、フック７１を第五バネ部材７２の付勢力に抗して回動している。【００５０】  前記付勢手段４０は支軸４の長手方向の二箇所に配設しているので、蓋３の開閉を行う際に、安定した開口力を付与する構成としている。そのために、前述した開放ピン８を押下げる操作だけで、特別な労力を必要とせずに、容易に蓋３を開くことができる。【００５１】  また、開放ピン８の上面を被覆して蓋の開口操作を禁止する位置と、前記開放ピン８の上面を露出する位置とに変位自在なカバー部材３０を設ける構成とすれば、前記開放ピン８の不慮の操作を防止することができ、好適である。【００５２】  上記したように、本発明に係わる床下収納装置によれば、蓋を閉止する際には、蓋の上から体重等を利用して、支軸を下位置に押下げると共に、開閉手段のフックを係合すればよく、蓋を開口する際には、フックを解除して取手を把持して引き上げる操作で、閉止状態の蓋の支軸を上昇して蓋を開く構成としたので、特別な力を必要とせず、蓋の開閉が容易となる。【００５３】  さらには、蓋が開閉する際の支軸を上下に移動する構成とし、支軸保持手段と開閉ガイド手段で支持しながら開閉する構成としたので、開閉操作が容易で確実であると共に閉状態において蓋と枠との隙間が小さくとも容易に開閉可能となる。また、開放ピンも蓋面から突出しておらず、床面から突出する部材もなく外観性に優れている。さらに、開閉操作が容易な床下収納装置蓋を９０°以上に開口すると共に、開口位置と閉止位置とを固定するバネ部材をそれぞれ装着しているので、収納庫への物品の出し入れを安全に行うことができる。